(57)【特許請求の範囲】
【請求項１】
往復動作可能であり、往動作に伴いメインミラーのミラーアップ動作を、復動作に伴い該メインミラーのミラーダウン動作を行うシーケンス部材と、
レンズ絞りと連動する絞り連動部材と、
前記絞り連動部材を係止して前記レンズ絞りの径を設定する係止部材と、
前記係止部材と前記絞り連動部材との係止を解除する解除部材と、
前記解除部材を付勢する付勢部材と、
前記係止部材が前記絞り連動部材の係止を解除している時に前記係止部材を保持し、前記係止部材が前記絞り連動部材を係止している時に前記係止部材と離間している保持部材と、を有し、
前記シーケンス部材は、前記解除部材と係合する第１係合部を有し、
前記解除部材は、前記シーケンス部材の復動作中に前記第１係合部と係合する第２係合部を有し、
前記第１係合部または第２係合部の少なくとも一方は撓性を有し、
前記解除部材は、前記係止部材の前記絞り連動部材への係止を解除するよう該係止部材に作用する第１の位置と、該係止部材に作用しない第２の位置とを移動可能であり、
前記シーケンス部材は、前記復動作中に該シーケンス部材の第１係合部が前記解除部材の第２係合部を引くことにより、前記解除部材を前記第２の位置から前記第１の位置に移動させ、
前記保持部材は、前記解除部材の作用により前記絞り連動部材との係止を解除された前記係止部材を、該絞り連動部材を係止しない位置に保持し、
前記解除部材は、引続く前記シーケンス部材の復動作により、前記保持部材が前記係止部材を保持した後に、前記第１係合部との係合が解除され、前記付勢部材の付勢により前記第２の位置に退避することを特徴とする撮影装置の絞り制御機構。
【請求項２】
往復動作可能であり、往動作に伴いメインミラーのミラーアップ動作を、復動作に伴い該メインミラーのミラーダウン動作を行うシーケンス部材と、
レンズ絞りと連動する絞り連動部材と、
前記絞り連動部材を係止して前記レンズ絞りの径を設定する係止部材と、
前記係止部材の前記絞り連動部材への係止を解除するよう該係止部材に作用する第１の位置と、該係止部材に作用しない第２の位置とを移動可能な解除部材と、
前記解除部材を付勢する付勢部材と、
前記係止部材が前記絞り連動部材の係止を解除している時に前記係止部材を保持し、前記係止部材が前記絞り連動部材を係止している時に前記係止部材と離間している保持部材と、を有し、
前記解除部材は、前記シーケンス部材の前記往動作中に前記第２の位置にて該シーケンス部材と係合可能であり、
前記シーケンス部材は、前記解除部材との係合後、前記復動作中に前記解除部材を引くことにより、前記解除部材を前記第２の位置から前記第１の位置に移動させ、
前記保持部材は、前記解除部材の作用により前記絞り連動部材との係止を解除された前記係止部材を、該絞り連動部材を係止しない位置に保持し、
前記解除部材は、引続く前記シーケンス部材の復動作により、前記保持部材が前記係止部材を保持した後に、前記シーケンス部材との係合が解除され、前記付勢部材の付勢により前記第２の位置に退避することを特徴とする撮影装置の絞り制御機構。
【請求項３】
往復動作可能であり、往動作に伴いレンズ絞りの絞り込み動作を、復動作に伴い該レンズ絞りの絞り開放動作を行うシーケンス部材と、
前記レンズ絞りと連動する絞り連動部材と、
前記絞り連動部材を係止して前記レンズ絞りの径を設定する係止部材と、
前記係止部材と前記絞り連動部材との係止を解除する解除部材と、
前記解除部材を付勢する付勢部材と、
前記係止部材が前記絞り連動部材の係止を解除している時に前記係止部材を保持し、前記係止部材が前記絞り連動部材を係止している時に前記係止部材と離間している保持部材と、を有し、
前記シーケンス部材は、前記解除部材と係合する第１係合部を有し、
前記解除部材は、前記シーケンス部材の復動作中に前記第１係合部と係合する第２係合部を有し、
前記第１係合部または第２係合部の少なくとも一方は撓性を有し、
前記解除部材は、前記係止部材の前記絞り連動部材への係止を解除するよう該係止部材に作用する第１の位置と、該係止部材に作用しない第２の位置とを移動可能であり、
前記シーケンス部材は、前記復動作中に該シーケンス部材の第１係合部が前記解除部材の第２係合部を引くことにより、前記解除部材を前記第２の位置から前記第１の位置に移動させ、
前記保持部材は、前記解除部材の作用により前記絞り連動部材との係止を解除された前記係止部材を、該絞り連動部材を係止しない位置に保持し、
前記解除部材は、引続く前記シーケンス部材の復動作により、前記保持部材が前記係止部材を保持した後に、前記第１係合部との係合が解除され、前記付勢部材の付勢により前記第２の位置に退避することを特徴とする撮影装置の絞り制御機構。
【請求項４】
往復動作可能であり、往動作に伴いレンズ絞りの絞り込み動作を、復動作に伴い該レンズ絞りの絞り開放動作を行うシーケンス部材と、
前記レンズ絞りと連動する絞り連動部材と、
前記絞り連動部材を係止して前記レンズ絞りの径を設定する係止部材と、
前記係止部材の前記絞り連動部材への係止を解除するよう該係止部材に作用する第１の位置と、該係止部材に作用しない第２の位置とを移動可能な解除部材と、
前記解除部材を付勢する付勢部材と、
前記係止部材が前記絞り連動部材の係止を解除している時に前記係止部材を保持し、前記係止部材が前記絞り連動部材を係止している時に前記係止部材と離間している保持部材と、を有し、
前記解除部材は、前記シーケンス部材の前記往動作中に前記第２の位置にて該シーケンス部材と係合可能であり、
前記シーケンス部材は、前記解除部材との係合後、前記復動作中に前記解除部材を引くことにより、前記解除部材を前記第２の位置から前記第１の位置に移動させ、
前記保持部材は、前記解除部材の作用により前記絞り連動部材との係止を解除された前記係止部材を、該絞り連動部材を係止しない位置に保持し、
前記解除部材は、引続く前記シーケンス部材の復動作により、前記保持部材が前記係止部材を保持した後に、前記シーケンス部材との係合が解除され、前記付勢部材の付勢により前記第２の位置に退避することを特徴とする撮影装置の絞り制御機構。
【請求項５】
前記シーケンス部材は、前記解除部材と係合する第１係合部を有し、
前記解除部材は、前記シーケンス部材の往動作中に前記第１係合部と係合後、前記シーケンス部材の復動作中に前記第１係合部と係合維持可能な第２係合部を有し、
前記第１係合部または第２係合部の少なくとも一方は撓性を有することを特徴とする請求項２または４に記載の撮影装置の絞り制御機構。
【発明の詳細な説明】
【０００１】
【発明の属する技術分野】
本発明は、撮影装置の絞り制御機構に関する。
【０００２】
【従来の技術】
従来より、コンビネーションマグネットを使用して絞り制御を行うカメラでは、ラチエット車を係止した係止部材をコンビネーションマグネットに吸着させる絞りリセット動作を行うようにしている。
【０００３】
図７はカメラの絞り制御機構を示し、図７（ａ）はレリーズ待ち状態である。コンビネーションマグネット１０１は、永久磁石１０１ａ、鉄芯１０１ｂ、コイル１０１ｃによって構成されている。係止レバー１０２は、軸１０２ａのまわりを回動可能に支持されている。また、係止レバー１０２は付勢機構（図示せず）により右旋方向の力を与えられている。係止レバー１０２に吸着鉄片１０３が固定されており、吸着鉄片１０３は係止レバー１０２に与えられた右旋力に抗して鉄芯１０１ｂに吸着されている。
【０００４】
ラチエット車１０４は、図示しない絞り機構と連動している。シーケンスレバー１０５は、１レリーズ動作で軸１０５ａを回転中心として１往復動する。リセットレバー１０６は、軸１０６ａを中心に回動可能に支持されており、バネかけ部１０６ｃには、引っ張りコイルバネ１０７が掛けられ、その付勢力により図示姿勢で安定している。
【０００５】
図７（ｂ）は、ミラーアップ動作中を示している。シーケンスレバー１０５が右旋し、また絞り込み動作が行われ、絞り径の変化に連動してラチエット車１０４が右旋し、所定絞りまで絞り込まれた時点で、コイル１０１ｃに通電が行われる。コイル１０１ｃに通電されると、永久磁石１０１ａの磁力を打ち消す方向の磁界が発生し、鉄芯１０１ｂの吸着力が消され、吸着鉄片１０３が離脱する。係止レバー１０２は右旋力により爪部１０２ｂをラチエット車１０４に飛び込ませ、ラチエット車１０４の右旋を止めて絞り径を決定する。
【０００６】
図７（ｃ）は、ミラーアップ動作後半を示している。シーケンスレバー１０５の先端部１０５ｂとリセットレバー１０６の腕部１０６ｄが係合し、リセットレバー１０６は引っ張りコイルバネ１０７の付勢力に抗して左旋させられる。
【０００７】
図７（ｄ）はミラーアップ完了状態を示している。シーケンスレバー１０５の右旋の途中で先端部１０５ｂと腕部１０６ｄの係合が外れ、リセットレバー１０６は引っ張りコイルバネ１０７の付勢力により安定位置に戻る。その後、シーケンスレバー１０５は、最右旋の位置まで移動して停止する。
【０００８】
図７（ｅ）はミラーダウン動作中を示している。シーケンスレバー１０５が左旋すると、先端部１０５ｂと腕部１０６ｄとが係合して、リセットレバー１０６は右旋させられる。この動作により腕部１０６ｂが係止レバー１０２の腕部１０２ｃと係合し、係止レバー１０２が左旋され、この時には既にコイル１０１ｃへの通電は解かれており、吸着鉄片１０３が鉄芯１０１ｂに吸着保持される。
【０００９】
その後さらにシーケンスレバー１０５は左旋し、腕部１０６ｄを弾性変形させて乗り越え、図７（ａ）の状態へ戻り停止する。
【００１０】
【発明が解決しようとする課題】
上述した従来の機構では、係止レバーをコンビネーションマグネットに吸着させるストロークに加え、空走するストロークがシーケンスレバーに必要になるため、シーケンスレバーの作動角を大きくとる必要があり、機構が大型化する要因になっていた。
【００１１】
また、鉄片をコンビネーションマグネットに押し付ける時間は、ミラーダウン行程の半分以下の時間となり、短時間に吸着動作を行わせることになる。そのため、吸着が不安定で吸着不良の原因になっていた、
【００１２】
本発明は、上記の問題点に鑑みてなされたもので、シーケンスレバーの作動範囲を小さくしてカメラの小型化を図ると共に、リセット時の鉄片の吸着時間を長くすることで、吸着不良の減少を図ることを目的とする。
【００１３】
【課題を解決するための手段】
この目的を達成するために、第１発明の撮影装置の絞り制御機構は、往復動作可能であり、往動作に伴いメインミラーのミラーアップ動作を、復動作に伴い該メインミラーのミラーダウン動作を行うシーケンス部材と、レンズ絞りと連動する絞り連動部材と、絞り連動部材を係止してレンズ絞りの径を設定する係止部材と、係止部材と絞り連動部材との係止を解除する解除部材と、解除部材を付勢する付勢部材と、係止部材が絞り連動部材の係止を解除している時に係止部材を保持し、係止部材が絞り連動部材を係止している時に係止部材と離間している保持部材と、を有し、シーケンス部材は、解除部材と係合する第１係合部を有し、解除部材は、シーケンス部材の復動作中に第１係合部と係合する第２係合部を有し、第１係合部または第２係合部の少なくとも一方は撓性を有し、解除部材は、係止部材の絞り連動部材への係止を解除するよう該係止部材に作用する第１の位置と、該係止部材に作用しない第２の位置とを移動可能であり、シーケンス部材は、復動作中に該シーケンス部材の第１係合部が解除部材の第２係合部を引くことにより、解除部材を第２の位置から第１の位置に移動させ、保持部材は、解除部材の作用により絞り連動部材との係止を解除された係止部材を、該絞り連動部材を係止しない位置に保持し、解除部材は、引続くシーケンス部材の復動作により、保持部材が係止部材を保持した後に、第１係合部との係合が解除され、付勢部材の付勢により第２の位置に退避することを特徴とする。
【００１４】
第２発明の撮影装置の絞り制御機構は、往復動作可能であり、往動作に伴いメインミラーのミラーアップ動作を、復動作に伴い該メインミラーのミラーダウン動作を行うシーケンス部材と、レンズ絞りと連動する絞り連動部材と、絞り連動部材を係止してレンズ絞りの径を設定する係止部材と、係止部材の絞り連動部材への係止を解除するよう該係止部材に作用する第１の位置と、該係止部材に作用しない第２の位置とを移動可能な解除部材と、解除部材を付勢する付勢部材と、係止部材が絞り連動部材の係止を解除している時に係止部材を保持し、係止部材が絞り連動部材を係止している時に係止部材と離間している保持部材と、を有し、解除部材は、シーケンス部材の往動作中に第２の位置にて該シーケンス部材と係合可能であり、シーケンス部材は、解除部材との係合後、復動作中に解除部材を引くことにより、解除部材を第２の位置から第１の位置に移動させ、保持部材は、解除部材の作用により絞り連動部材との係止を解除された係止部材を、該絞り連動部材を係止しない位置に保持し、解除部材は、引続くシーケンス部材の復動作により、保持部材が係止部材を保持した後に、シーケンス部材との係合が解除され、付勢部材の付勢により第２の位置に退避することを特徴とする。
【００１５】
第３発明の撮影装置の絞り制御機構は、往復動作可能であり、往動作に伴いレンズ絞りの絞り込み動作を、復動作に伴い該レンズ絞りの絞り開放動作を行うシーケンス部材と、レンズ絞りと連動する絞り連動部材と、絞り連動部材を係止してレンズ絞りの径を設定する係止部材と、係止部材と絞り連動部材との係止を解除する解除部材と、解除部材を付勢する付勢部材と、係止部材が絞り連動部材の係止を解除している時に係止部材を保持し、係止部材が絞り連動部材を係止している時に係止部材と離間している保持部材と、を有し、シーケンス部材は、解除部材と係合する第１係合部を有し、解除部材は、シーケンス部材の復動作中に第１係合部と係合する第２係合部を有し、第１係合部または第２係合部の少なくとも一方は撓性を有し、解除部材は、係止部材の絞り連動部材への係止を解除するよう該係止部材に作用する第１の位置と、該係止部材に作用しない第２の位置とを移動可能であり、シーケンス部材は、復動作中に該シーケンス部材の第１係合部が解除部材の第２係合部を引くことにより、解除部材を第２の位置から第１の位置に移動させ、保持部材は、解除部材の作用により絞り連動部材との係止を解除された係止部材を、該絞り連動部材を係止しない位置に保持し、解除部材は、引続くシーケンス部材の復動作により、保持部材が係止部材を保持した後に、第１係合部との係合が解除され、付勢部材の付勢により第２の位置に退避することを特徴とする。
【００１６】
第４発明の撮影装置の絞り制御機構は、往復動作可能であり、往動作に伴いレンズ絞りの絞り込み動作を、復動作に伴い該レンズ絞りの絞り開放動作を行うシーケンス部材と、レンズ絞りと連動する絞り連動部材と、絞り連動部材を係止してレンズ絞りの径を設定する係止部材と、係止部材の絞り連動部材への係止を解除するよう該係止部材に作用する第１の位置と、該係止部材に作用しない第２の位置とを移動可能な解除部材と、解除部材を付勢する付勢部材と、係止部材が絞り連動部材の係止を解除している時に係止部材を保持し、係止部材が絞り連動部材を係止している時に係止部材と離間している保持部材と、を有し、解除部材は、シーケンス部材の往動作中に第２の位置にて該シーケンス部材と係合可能であり、シーケンス部材は、解除部材との係合後、復動作中に解除部材を引くことにより、解除部材を第２の位置から第１の位置に移動させ、保持部材は、解除部材の作用により絞り連動部材との係止を解除された係止部材を、該絞り連動部材を係止しない位置に保持し、解除部材は、引続くシーケンス部材の復動作により、保持部材が係止部材を保持した後に、シーケンス部材との係合が解除され、付勢部材の付勢により第２の位置に退避することを特徴とする。
【００１７】
第５発明の撮影装置の絞り制御機構は、請求項２または４において、シーケンス部材は、解除部材と係合する第１係合部を有し、解除部材は、シーケンス部材の往動作中に第１係合部と係合後、シーケンス部材の復動作中に第１係合部と係合維持可能な第２係合部を有し、第１係合部または第２係合部の少なくとも一方は撓性を有することを特徴とする。
【００１９】
【発明の実施の形態】
以下、本発明の実施の形態を図面に基づいて説明する。
【００２０】
図１は、本発明による撮影装置の絞り制御機構の第１実施例を示す斜視図である。
【００２１】
図１において、主ミラー１２は、ミラーボックス１１に設けられた穴１１ａを中心に回動可能に設置されている。ミラーアップレバー１３は、ミラーボックス１１に設けられた軸ｌｌｂを中心に回動可能に設置されている。ミラーボックス１１に設けられたバネかけ１１ｃとバネかけ１３ｅとの間には、ミラーアップバネ１７が掛けられ、ミラーアップレバー１３には右旋方向の力が与えられている。
【００２２】
絞り駆動レバー１４は、軸１１ｂを中心に回動可能である。バネかけ１４ｄとバネかけ１１ｃの間には絞り戻しバネ１８が掛けられ、絞り駆動レバー１４には左旋方向の力が与えられている。絞り連動レバー１５は、軸１１ｂを中心に回動可能であり、係合部１５ｃにおいて交換レンズ側の絞りレバーと連動している。またバネかけ１５ｆとバネかけ１４ｅの間には、絞り連動レバー駆動バネ１９が掛けられている。これにより、絞り駆動レバー１４と絞り連動レバー１５は、係合部１５ｅと係合部１４ｃを当接させて保持されている。ミラーアップレバー１３、絞り駆動レバー１４、絞り連動レバー１５の３つのレバーは、ビス１６により軸１１ｂのまわりに回動自在に保持される。
【００２３】
ギヤ列２１〜２５は、絞り連動レバー１５に連動し、その回転角を拡大して検出するための増速ギヤ列である。セグメントギヤ２１は、穴２１ａを中心に回動可能で、ギヤ部２１ｃがギヤ２２とかみ合い、係合部２１ｂを係合部１５ｂと係合させて、絞り連動レバー１５の右旋の回転を増速ギヤ列２１〜２５に伝達する。増速ギヤ列２１〜２５の最終段には、エンコーダ一体のギヤ２５が設置され、ギヤ２５と一体に回転するラチェット２６が固定されている。
【００２４】
シーケンスレバー４１は、穴４１ａを中心に回動可能にミラーボックス１１上に設置されている、軸４１ｂにはカムフォロワ４２ａが、軸４１ｃにはカムフォロワ４２ｂが取り付けられる。シーケンスカム４３は、穴４３ａを中心に回動可能にミラーボックス１１上に設置されている。カム面４３ｂは、２つのカムフォロワ４２ａおよび４２ｂを介してシーケンスレバー４１を駆動する。リセットレバー４４は、穴４４ａを中心に回動可能にミラーボックス１１上に設置されている。ねじりコイルバネ４５は、リセットレバー４４とミラーボックス１１上に設けられた固定端（図示せず）の間に掛けられる。係止レバー４６は、穴４６ａを中心に回動可能で、ラチェッ卜２６を係止する爪部４６ｃを備える。係止バネ４７は、バネかけ４６ｄとバネかけ４９ｂ（図５（ａ）参照）の間に掛けられ、爪部４６ｃがラチェット２６に飛び込む方向に係止レバー４６を付勢する。コンビネーションマグネット４８は、可動鉄片４８ａを永久磁石（図示せず）で吸着保持しており、コイル部（図示せず）に通電することで、その保持力を打ち消す磁界を生じる。可動鉄片４８ａは係合部４６ｂと係合し、係止バネ４７による付勢力に抗して可動鉄片４８ａが永久磁石に吸着保持される。
【００２５】
図２は、増速ギヤ列の配置を示す断面図である。ギヤ２１は、ビス３２により基板２７に回動可能に設置されている。ギヤ２２、２３、２４、および２５は、基板２７上に設けられた軸まわりに取り付けられ、基板２８により部組されている。基板２８は、ビス３３により基板２７に固定される。ギヤ２４には、ねじりコイルバネ２９が掛けられ、セグメントレバー２１を絞り連動レバー１５に押し付ける方向に付勢されている。ギヤ２５のエンコーダー部２５ａにはフォトインタラプタ３１が設けられ、ギヤ２５の回転量を検出する。
【００２６】
図３は、シーケンスレバー４１とリセットレバー４４の関係を示す平面図である。図３（ａ）は、レリーズ待ち状態を示している。シーケンスレバー４１は、ミラーボックス１１の底面に設けられた軸１１ｅのまわりを回動可能に設置されている。シーケンスカム４３は、ミラーボックス１１の底面に設けられた軸１１ｄのまわりを回動可能に設置されている。図３（ａ）のレリーズ待ち状態では、カム面４３ｂのカムトップ部にカムフォロワ４２ｂが乗り上げており、シーケンスレバー４１は最右旋されている。
【００２７】
リセットレバー４４は、ミラーボックス１１の底面に設けられた軸１１ｆのまわりを回動可能に設置されている。バネかけ４４ｄとミラーボックス１１の底面に設けられたストッパー１１ｈの間には、ねじりコイルバネ４５が掛けられ、リセットレバー４４は右旋方向に付勢され、ミラーボックス底面に設けられたストッパー１１ｇに押しつけられた状態で保持されている。
【００２８】
図３（ｂ）は、ミラーアップ完了状態を示している。シーケンスカム４３がモータ（不図示）により約１８０度右旋し、カムトップ部にカムフォロワ４２ｂが乗り上げた状態で停止する。この動作によりシーケンスレバー４１は左旋され、最左旋した状態で停止する。この行程で、腕部４１ｆの先端凸部４１ｇが腕部４４ｂの先端斜面部４４ｅと当接して腕部４４ｂをたわませ、凸部４４ｆを乗り越える。
【００２９】
図３（ｃ）は、ミラーダウン動作中を示している。シーケンスカム４３がモータ（不図示）により再び右旋され、カム面４３ｂがカムフォロワ４２ａを押しながらシーケンスレバー４１を右旋させる。この行程で先端凸部４１ｇが凸部４４ｆと係合し、ねじりコイルバネ４５の付勢力に抗してリセットレバー４４を左旋させる。
【００３０】
図４は、シーケンスレバー４１とミラーボックス１１の側面に設置されたレバー群との関係を示している。
【００３１】
図４（ａ）は、レリーズ待ち状態を示している。ミラーアップレバー１３には、ミラーアップバネ１７により右旋方向の付勢力が与えられているが、シーケンスレバー４１の先端部４１ｄと腕部１３ｂが係合し、主ミラー駆動ピン１２ｂと係合部１３ｃの間に隙間がある状態で保持されている。絞り駆動レバー１４には、絞り戻しバネ１８により左旋方向の付勢力が与えられているが、係合部１４ｃと絞り連動レバー１５の係合部１５ｅが当接し、係合部１５ｄとミラーボックス１１の側面に設けられたストッパー１１ｉが当接し、シーケンスレバー４１の先端部４１ｅと係合部１４ｂとの間に、隙間がある状態で保持されている。絞り連動レバー１５と絞り駆動レバー１４との間には、絞り連動レバー駆動バネ１９が掛けられている。
【００３２】
図４（ｂ）は、ミッラーアップ完了状態を示している。シーケンスレバー４１が左方向に駆動されることに連動して、先端部４１ｅが絞り駆動レバー１４の係合部１４ｂを押し、絞り戻しバネ１８をチャージしながら絞り駆動レバー１４を右旋させる。絞り連動レバー１５は、絞り連動レバー駆動バネ１９に引っ張られて同じく右旋され、ミラーボックス１１の側面に設けられたストッパー１１ｊに当接するまで駆動され、絞り連動レバー駆動バネ１９はオーバーストローク分チャージされる。この絞り連動レバー１５のストローク中にラチェット２６が係止された場合は、その係止までの回転角に対応した位置に絞り連動レバー１５が係止され、絞り口径が決定される。
【００３３】
ミラーアップレバー１３は、絞り駆動レバー１４が逃げることによりミラーアップバネ１７の付勢力で右旋され、係合部１３ｃが主ミラー駆動ピン１２ｂを押し上げ、ミラーアップ動作を行う。ミラーアップレバー１３の右旋は、主ミラー１２が図示しない制限に当接したところで止まり、ミラーアップ完了状態では先端部４１ｄと腕部１３ｂの間には隙間のある状態になる。
【００３４】
図５は、リセットレバー４４と係止レバー４６の関係を底面側より見た作動図である。図５（ａ）は、レリーズ待ちまたはミラーアップ開始からコンビネーションマグネット通電前までの状態を示している。係止レバー４６は、基板４９上に設けられた軸４９ａのまわりを回動可能に設置されている。バネかけ４６ｄとバネかけ４９ｂの間には係止バネ４７が掛けられ、係止レバー４６は右旋方向に付勢されている。また、基板４９にはコンビネーションマグネット４８がビス５１により固定されており、吸着鉄芯４８ａと係止レバー４６の係合部４６ｂが係合している。吸着鉄芯４８ａは、永久磁石により図５（ａ）に示す位置で係止バネ４７の付勢力に抗して保持されている。リセットレバー４４は、図３（ａ）または図３（ｂ）に示す位置にあり、係止レバー駆動ピン４４ｃは、係止レバー４６に影響を与えない位置にある。なお、基板４９は、ビス５２によりミラーボックス１１の底面に固定されている。
【００３５】
図５（ｂ）は、コンビネーションマグネット４８の通電後からミラーアップ完了までの状態を示している。コンビネーションマグネット４８のコイル（図示せず）に通電され、永久磁石の磁力を打ち消す方向の磁界が発生されると、係止バネ４７の付勢力により係止レバー４６が右旋し、爪部４６ｃがラチェット２６に飛び込み、ラチェット２６の回転を停止させる。吸着鉄芯４８ａは吸着が外れ、係止レバー４６に係合したまま突出した位置（図５下側）に移動する。リセットレバー４４は、図３（ａ）または図３（ｂ）に示す位置にあり、係止レバー駆動ピン４４ｃは、係止レバー４６に影響を与えない位置にある。
【００３６】
図５（ｃ）は、ミラーダウン行程における状態を示している。リセットレバー４４は、図３（ｃ）に示す動作をし、係止レバー駆動ピン４４ｃは係止レバー４６の係合部４６ｅと係合し、係止バネ４７の付勢力に抗して係止レバー４６を左旋し、吸着鉄芯４８ａを再びコンビネーションマグネット４８の永久磁石に吸着させる。永久磁石の吸着力は係止バネ４７の付勢力より強く、吸着鉄芯４８ａは吸着姿勢で保持される。
【００３７】
リセットレバー４４は、図３（ｃ）に示す係合状態でシーケンスレバー４１により左旋され、吸着鉄芯４８ａを吸着位置まで駆動すると、その回転動作を止められる。シーケンスレバー４１は、その後もなお右旋を続けるため、リセットレバー４４の腕部４４ｂが弾性変形し、先端凸部４１ｇと凸部４４ｆとの係合が外れ、シーケンスレバー４１は最右旋位置まで駆動され、リセットレバー４４は、ねじりコイルバネ４５によりストッパー１１ｇに当接するまで右旋される。
【００３８】
図６は、本発明による撮影装置の絞り制御機構の第２実施例を示す正面図である。第２実施例は、原理的には第１実施例と同様であるが、従来例との対比が分かり易い構成にしてある。
【００３９】
図６（ａ）は、レリーズ待ち状態を示している。コンビネーションマグネット２０１は、永久磁石２０１ａ、鉄芯２０１ｂ、およびコイル２０１ｃによって構成されている。係止レバー２０２は、軸２０２ａのまわりを回動可能に支持されており、付勢機構（図示せず）により右旋方向の力を与えられている。係止レバー２０２に吸着鉄片２０３が固定されている。吸着鉄片２０３は、係止レバー２０２に与えられた右旋力に抗して鉄芯２０１ｂに吸着されている。
【００４０】
ラチェット車２０４は、図示しない絞り機構と連動している。シーケンスレバー２０５は、１レリーズ動作で軸２０５ａを回転中心として１往復動する。リセットレバー２０６は、軸２０６ａを中心に回動可能に支持されている。バネかけ部２０６ｃには、引っ張りコイルバネ２０７が掛けられ、リセットレバー２０６には左旋方向の付勢力が与えられ、ストッパー２０８に当接した状態で保持されている。
【００４１】
図６（ｂ）は、ミラーアップ動作中の状態を示している。シーケンスレバー２０５が右旋して絞り込み動作が行われ、絞り径の変化に連動してラチェット車２０４が右旋し、所定絞りまで絞り込まれた時点で、コイル２０１ｃに通電が行われる。コイル２０１ｃに通電されると、永久磁石２０１ａの磁力を打ち消す方向の磁界が発生し、鉄芯２０１ｂの吸着力が消され、吸着鉄片２０３が離脱する。係止レバー２０２は右旋力により爪部２０２ｂをラチェット車２０４に飛び込ませ、ラチェット車２０４の右旋を止めて絞り径を決定する。
【００４２】
図６（ｃ）は、ミラーアップ完了状態を示している。シーケンスレバー２０５の凹部２０５ｂとリセットレバー２０６の凸部２０６ｄは、撓性（弾性）を持っている。従って、シーケンスレバー２０５が最右旋し、その地点でシーケンスレバー２０５の凹部２０５ｂとリセットレバー２０６の凸部２０６ｄがスナップフィットで係合する。
【００４３】
図６（ｄ）は、ミラーダウン動作中の状態を示している。シーケンスレバー２０５が左旋し、凹部２０５ｂと凸部２０６ｄとが係合したままリセットレバー２０６は右旋させられる。この動作により腕部２０６ｂが係止レバー２０２の腕部２０２ｃと係合する。これにより、係止レバー２０２が左旋され、この時には既にコイル１０１ｃヘの通電は解かれており、吸着鉄片２０３が鉄芯２０１ｂに吸着保持される。
【００４４】
その後さらにシーケンスレバー２０５には左旋力が加えられ、凹部２０５ｂと凸部２０６ｄとのスナップフィット力を越えると両者の係合が外れ、リセットレバー２０６は引っ張りバネ２０７によりストッパー２０８に当接する位置で保持され、シーケンスレバー２０５は最左旋地点まで回転して停止する。即ち、図６（ａ）の状態に戻る。
【００４５】
【発明の効果】
以上のように、本発明の撮影装置の絞り制御機構によれば、解除部材（４４、２０６）は、シーケンス部材（４１、２０５）が復動作を開始すると同時に、係止部材（４６、２０２）の作動範囲外位置から作動範囲位置に移動して、絞り連動部材（２６、２０４）と係止部材（４６、２０２）との係合を解除せしめるよう係止部材（４６、２０２）に作用するようにしたので、従来のように解除部材を空振りさせる分のストロークが不要になり、シーケンス部材の作動範囲が小さくて済む。即ち、従来より少ない作動ストロークで絞りリセット動作を行うことができ、カメラの小型化の面で有利となる。
【００４６】
また、リセット時の鉄片の吸着時間を従来より長くとることができるため、安定した吸着が可能で、吸着不良の可能性が減少する。
【図面の簡単な説明】
【図１】本発明による撮影装置の絞り制御機構の第１実施例を示す斜視図である。
【図２】本発明による撮影装置の絞り制御機構の第１実施例を示す断面図である。
【図３】本発明による撮影装置の絞り制御機構の第１実施例を示す正面図である。
【図４】本発明による撮影装置の絞り制御機構の第１実施例を示す正面図である。
【図５】本発明による撮影装置の絞り制御機構の第１実施例を示す正面図である。
【図６】本発明による撮影装置の絞り制御機構の第２実施例を示す正面図である。
【図７】従来の撮影装置の絞り制御機構の一例を示す正面図である。
【符号の説明】
１１    ミラーボックス
１１ａ  穴
１１ｂ  軸
１１ｄ  軸
１１ｅ  軸
１１ｆ  軸
１１ｇ  ストッパー
１１ｈ  ストッパー
１１ｉ  ストッパー
１１ｊ  ストッパー
１２    主ミラー
１２ｂ  主ミラー駆動ピン
１３    ミラーアップレバー
１３ｂ  腕部
１３ｃ  係合部
１４    絞り駆動レバー
１４ｂ  係合部
１４ｃ  係合部
１５    連動レバー
１５ｂ  係合部
１５ｃ  係合部
１５ｄ  係合部
１５ｅ  係合部
１７    ミラーアップバネ
１８    バネ
１９    連動レバー駆動バネ
２１    セグメントギヤ（セグメントレバー）
２１ａ  穴
２１ｂ  係合部
２１ｃ  ギヤ部
２２〜２５    増速ギヤ列
２５ａ  エンコーダー部
２６    ラチェット
２６    ラチェッ卜
２７    基板
２８    基板
２９    コイルバネ
３１    フォトインタラプタ
４１    シーケンスレバー
４１ａ  穴
４１ｂ  軸
４１ｃ  軸
４１ｄ  先端部
４１ｅ  先端部
４１ｆ  腕部
４１ｇ  先端凸部
４２ａ  カムフォロワ
４２ｂ  カムフォロワ
４３    シーケンスカム
４３ａ  穴
４３ｂ  カム面
４４    リセットレバー
４４ａ  穴
４４ｂ  腕部
４４ｃ  係止レバー駆動ピン
４４ｄ  バネかけ
４４ｅ  先端斜面部
４４ｆ  凸部
４５    ねじりコイルバネ
４６    係止レバー
４６ａ  穴
４６ｂ  係合部
４６ｃ  爪部
４６ｄ  バネかけ
４６ｅ  係合部
４７    係止バネ
４８    コンビネーションマグネット
４８ａ  可動鉄片
４８ａ  吸着鉄芯
４９    基板
４９ａ  軸
５１    ビス
５２    ビス
２０１    コンビネーションマグネット
２０１ａ  永久磁石
２０１ｂ  鉄芯
２０１ｃ  コイル
２０２    係止レバー
２０２ａ  軸
２０２ｂ  爪部
２０２ｃ  腕部
２０３    吸着鉄片
２０４    ラチェット車
２０５    シーケンスレバー
２０５ａ  軸
２０５ｂ  凹部
２０６    リセットレバー
２０６ａ  軸
２０６ｂ  腕部
２０６ｃ  部
２０６ｄ  凸部
２０７    コイルバネ
２０８    ストッパー
【図１】
0004253868.tif 000002
【図２】
0004253868.tif 000003
【図３】
0004253868.tif 000004
【図４】
0004253868.tif 000005
【図５】
0004253868.tif 000006
【図６】
0004253868.tif 000007
【図７】
0004253868.tif 000008